(57)【特許請求の範囲】
【請求項１】
液体、粉体、粒状体等の試供品を収納した扁平で且つ複数の収納部に分割されていない包装袋からなる商品サンプルを雑誌等の本に貼り込む際に用いるサンプル包装体であって、包装袋に重なった状態でその包装袋の周辺部に略合致する外枠部分と、該外枠部分の対向部位を繋ぐ少なくとも１本の連結部分とを備えた保護材を使用し、その保護材を丁度重なった状態で包装袋に沿わせ、当該包装袋を保護材と共にフィルム袋に収納してなることを特徴とするサンプル包装体。
【請求項２】
雑誌等の本の広告頁に貼り込まれてなることを特徴とする請求項１に記載のサンプル包装体。
【請求項３】
液体、粉体、粒状体等の試供品を収納した扁平で且つ複数の収納部に分割されていない包装袋からなる商品サンプルを雑誌等の本に添付する際に用いるサンプル包装体であって、一対の片側部材が折曲げ線で対称な形状に連設されており、前記片側部材が包装袋に重なった状態でその包装袋の周辺部に略合致する外枠部分と、該外枠部分の対向部位を繋ぐ少なくとも１本の連結部分とを備えた保護材を使用し、その保護材を折曲げ線で２つ折りして外枠部分と連結部分により包装袋を挟み込み、当該包装袋を保護材と共にフィルム袋に収納してなることを特徴とするサンプル包装体。
【請求項４】
雑誌等の本の広告頁に貼り込まれてなることを特徴とする請求項３に記載のサンプル包装体。
【発明の詳細な説明】
【０００１】
【発明の属する技術分野】
本発明は、液体、粉体、粒状体等の試供品を収納した扁平な包装袋からなる商品サンプルを雑誌等に添付する際に用いるサンプル包装体に関するものである。
【０００２】
【従来の技術】
従来、雑誌等で商品の広告をする場合、その宣伝効果を上げるために、広告頁に商品サンプルを貼り付けることが行われている。この場合、雑誌等は印刷、製本された後でパレットなどに集積され、さらにこれが多段積みされることから、下に積まれる雑誌ほど、それに挟まれた商品サンプルに大きな荷重が掛かることになる。そこで、例えば、段ボールや合紙した板紙などを保護紙として、これに商品サンプルの外形と略同形状の切抜き部や打抜き部を設け、それを広告頁に貼り付けるなどして固定し、切り抜いた又は打ち抜いた空間部に商品サンプルを挿入して固定することにより、雑誌等からの散逸を防ぎ、且つ、積み上げによる荷重（以下積載圧と呼ぶ）を軽減して該商品サンプルを保護する方法が採られていた。
【０００３】
【発明が解決しようとする課題】
しかしながら、このような形態では、例えば保護紙として段ボールを用いた場合、その圧縮強度がそれ程高くないため、前記積載圧を軽減するためには段ボールの面積を可能な範囲で大きくする必要があり、それによって異物感が強くなると同時に、保護紙の材料費及び加工費などのコストが嵩み、比較的安価な小袋入り試供品などの商品サンプルには適さないという問題があった。また、特に液体、粉体、粒状体などを収納した包装袋を商品サンプルとして雑誌中に添付する場合、万一、破袋が発生すると雑誌まで汚染されるため、袋自体を強化することは勿論、積載圧の軽減対策も十分な安全率をもって設計する必要があり、安易に実施することはできなかった。すなわち、保護紙を切り抜いた又は打ち抜いた空間部のサイズがある程度大きくなると、積み上げた雑誌が自重で空間内に撓み込むため、包装袋に大きな積載圧が掛かって破袋を引き起こすからである。
【０００４】
本発明は、上記のような問題点に鑑みてなされたものであり、その目的とするところは、液体、粉体、粒状体等の試供品を収納した扁平な包装袋からなる商品サンプルを雑誌等の本に貼り込むに際して、破袋を引き起こす積載圧を有効に軽減することのできるサンプル包装体を提供することにある。
【０００５】
【課題を解決するための手段】
上記の目的を達成するため、本発明のサンプル包装体は、液体、粉体、粒状体等の試供品を収納した扁平で且つ複数の収納部に分割されていない包装袋からなる商品サンプルを雑誌等の本に貼り込む際に用いるサンプル包装体であって、包装袋に重なった状態でその包装袋の周辺部に略合致する外枠部分と、該外枠部分の対向部位を繋ぐ少なくとも１本の連結部分とを備えた保護材を使用し、その保護材を丁度重なった状態で包装袋に沿わせ、当該包装袋を保護材と共にフィルム袋に収納してなることを特徴としている。
【０００６】
また、同様の目的を達成するために、本発明のサンプル包装体は、液体、粉体、粒状体等の試供品を収納した扁平で且つ複数の収納部に分割されていない包装袋からなる商品サンプルを雑誌等の本に添付する際に用いるサンプル包装体であって、一対の片側部材が折曲げ線で対称な形状に連設されており、前記片側部材が包装袋に重なった状態でその包装袋の周辺部に略合致する外枠部分と、該外枠部分の対向部位を繋ぐ少なくとも１本の連結部分とを備えた保護材を使用し、その保護材を折曲げ線で２つ折りして外枠部分と連結部分により包装袋を挟み込み、当該包装袋を保護材と共にフィルム袋に収納してなることを特徴としている。
【０００７】
保護材の素材としては、その耐圧強度が大きいものを使用するのが好ましい。
例えばプレス済みの紙や合紙（２枚合紙、３枚合紙等）、合成樹脂（プラスチックの成形品や打抜加工品）、Ａｌ蒸着などの金属層を含んだ積層体が用いられる。そして、材質、厚み、形状等は、包装袋の形状や厚みによって適宜選択すればよい。また、デザインによっては、保護材の表面に、印刷、ニス引き、糊引き、ＰＰ貼り、箔押し、エンボス加工等を施してもよい。さらには、読者が雑誌等を折り曲げるのに対処するため、保護材には、貼り込むべき雑誌等の天地方向に対応する方向に適当数の切込み線（半抜き加工）を施しておいてもよい。
【０００８】
包装袋としては、液体、粉体、粒状体などの試供品を収納した商品サンプルが用いられるが、それに使用する袋の形態は扁平で且つ複数の収納部に分割されていなければ任意である（例えば、四方シール袋、三方シール袋、ピロータイプ、ガゼットタイプ等）。また、袋の平面形状は必ずしも矩形状でなくても構わない。
【０００９】
また、包装袋には、保護材の連結部分に表面の商品ロゴマーク、裏面の成分表示等が隠れないように印刷を施すようにするのが好ましい。逆に、包装袋の商品ロゴマークや成分表示を避け、且つ雑誌の撓みから包装袋を守るように保護材の連結部分を設計してもよい。
【００１０】
【発明の実施の形態】
以下、図面を参照しながら本発明の実施形態について説明するが、本発明はこれらに限定されるものではない。
【００１１】
図１は本発明で使用する保護材の一例を包装袋と共に示す斜視図である。
【００１２】
この保護材１は板紙を打ち抜いて形成されたもので、四方シールした包装袋Ｐの周辺部であるシール部Ｐａに略合致する外枠部分１ａと、この外枠部分１ａの対向する長辺を繋ぐ２本の連結部分１ｂとを備えている。板紙としては、耐圧強度の高い北越製紙製「パーフェクトＷ−四六／３６ｋｇ（２枚合紙）」を使用した。また、包装袋Ｐとしては、香水を収納した商品サンプルを用いた。
【００１３】
この保護材１を使用するに際しては、図１に示すようにして当該保護材１の上に包装袋Ｐを載せ、図２に示す如く包装袋Ｐと共にポリプロピレン製等の透明なフィルム袋２に入れて包装体の形態とする。そして、このサンプル包装体を雑誌の所定頁に接着剤や粘着剤で貼り付けることで雑誌の中に貼り込む。ここではフィルム袋２としてその蓋片２ａに粘着剤２ｂを設けたものを使用し、容易に開閉できるようにしている。この場合、フィルム袋２の中で保護材１と包装袋Ｐがずれないように、フィルム袋２のサイズは両者が丁度入る大きさにするのが好ましい。或いは、粘着剤により保護材１に包装袋Ｐを仮固定しておいてもよい。
【００１４】
このような包装体の形態で雑誌の中に貼り込むと、製本後に積み重ねた場合に、積載圧が保護材１の外枠部分１ａと連結部分１ｂとに掛かることになる。そして、連結部分１ｂのところでは包装袋Ｐの中身が逃げ、表裏の包材が当接した状態で荷重を受けることになり、包装袋Ｐは連結部分１ｂ以外のところで若干膨らみはするものの、その膨らみ部分が積載圧の影響を受けないように、連結部分１ｂの形状及び大きさ、包装袋Ｐの内容量を適宜設計しておくことにより、膨らみ部分に掛かる雑誌の撓みによる押圧力を軽減することができ、したがって包装袋Ｐの破袋を防止することができる。
【００１５】
図３は本発明で使用する保護材の他の例を示す斜視図である。
【００１６】
この保護材１０も板紙を打ち抜いて形成されたもので、一対の片側部材１１が半抜き加工やミシン目等の折曲げ線αで対称な形状に連設されている。そして、これらの片側部材１１は四方シールした包装袋Ｐの周辺部であるシール部Ｐａに略合致する外枠部分１１ａと、この外枠部分１１ａの対向する長辺を繋ぐ２本の連結部分１１ｂとを備えている。板紙としては、耐圧強度の高い北越製紙製「パーフェクトＷ−四六／３６ｋｇ（２枚合紙）」を使用した。また、包装袋Ｐとしては、前記と同様に香水を収納した商品サンプルを用いた。
【００１７】
この保護材１０を使用するに際しては、図３に示すように各片側部材１１を折曲げ線αで２つ折りした当該保護材１０の間に包装袋Ｐを挟み込み、図４に示す如く包装袋Ｐと共にポリプロピレン製等の透明なフィルム袋１２に入れて包装体の形態とする。そして、このサンプル包装体を雑誌の所定頁に接着剤や粘着剤で貼り付けることで雑誌の中に貼り込む。ここでもフィルム袋１２としてその蓋片１２ａに粘着剤１２ｂを設けたものを使用し、容易に開閉できるようにしている。この場合、フィルム袋１２の中で保護材１０と包装袋Ｐがずれないように、フィルム袋１２のサイズは両者が丁度入る大きさにするのが好ましい。或いは、粘着剤により一方の片側部材１１に包装袋Ｐを仮固定しておいてもよい。なお、外枠部分１１ａで包装袋Ｐのシール部Ｐａが隠れ、連結部分１１ｂで包装袋Ｐの一部が隠れるが、包装袋Ｐの印刷及び保護材１０のデザインにより見栄えを良くすることで対処できる。
【００１８】
このような包装体の形態で雑誌の中に貼り込むと、製本後に積み重ねた場合に、積載圧が両方の片側部材１１の外枠部分１１ａと連結部分１１ｂとに掛かることになる。そして、連結部分１１ｂのところでは包装袋Ｐの中身が逃げ、表裏の包材が当接した状態で荷重を受けることになり、包装袋Ｐは連結部分１１ｂ以外のところで若干膨らみはするものの、その膨らみ部分が積載圧の影響を受けないように、連結部分１１ｂの形状及び大きさ、包装袋Ｐの内容量を適宜設計しておくことにより、膨らみ部分に掛かる雑誌の撓みによる押圧力を軽減することができ、したがって包装袋Ｐの破袋を防止することができる。
【００１９】
なお、上記の各実施形態では、内容物が液体である包装袋を用いたが、内容物が粉体や粒状体の包装袋にも適用できることは言うまでもない。
【００２０】
図５は雑誌に貼り込まれたサンプル包装体を示す。
【００２１】
図示のサンプル包装体は、保護材２０と包装袋Ｐを一緒にポリプロピレン製の透明な袋２２に収納したものであり、雑誌Ｍの広告頁に接着剤又は粘着剤により貼り付けられている。使用した保護材２０は、図３に示すのと同様な２つ折りタイプのものであるが、外枠部分２１ａの対向する長辺を繋ぐ連結部分２１ｂを１本だけ備えており、さらに外枠部分２１ａの短辺と連結部分２１ｂには、雑誌Ｍの天地方向に対応する方向に３本の切込み線βが形成されている。このように保護材２０に切込み線βを形成しておくことにより、読者が雑誌Ｍの携帯時等において２つに折り曲げた時に保護材２０も一緒に曲がるので都合がよい。
【００２２】
以上、本発明の実施形態について説明したが、保護材の連結部分は面積を大きくとると好ましくないので、図１などに示すように細長い形状にするのが好ましい。またその位置は、連結部分により区分される面積がなるべく均等になるように、外枠部分の中心部分に位置することが好ましい。すなわち、図５の実施形態ように外枠部分が矩形状で連結部分が１本の場合は重心付近を通るようにすることが好ましい。また、図１の実施形態の場合、連結部分の形状を「＝」としているが、図示した以外に「＋」でも「×」でもよい。
【００２３】
【発明の効果】
以上説明したように、本発明のサンプル包装体は、扁平で且つ複数の収納部に分割されていない包装袋からなる商品サンプルを外枠部分と連結部分とを備えた保護材と共にフィルム袋に収納したので、これを雑誌等の中に貼り込むと、これら雑誌等を高く積み上げた場合に、外枠部分と連結部分により積載圧が受け止められ、特に連結部材のところでは包装袋の中身が逃げ、表裏の包材が当接した状態で荷重を受けることになり、包装袋は連結部分以外のところで若干膨らみはするものの、その膨らみ部分が積載圧の影響を受けないように連結部分の形状及び大きさ、包装袋の内容量を適宜設計しておくことにより、膨らみ部分に掛かる雑誌の撓みによる押圧力が有効に受け止められることから、包装袋に掛かる積載圧を軽減でき、その破袋を防止することができる。
【００２４】
また、保護材と包装袋を共にフィルム袋に収納して包装体の形態としたことにより、雑誌等の所定頁に貼り付けることで簡単に貼り込むことができる。
【図面の簡単な説明】
【図１】  本発明で使用する保護材の一例を包装袋と共に示す斜視図である。
【図２】  図１の保護材と包装袋とをフィルム袋に収納する状態を示す斜視図である。
【図３】  本発明で使用する他の保護材の一例を包装袋と共に示す斜視図である。
【図４】  図３の保護材と包装袋とをフィルム袋に収納する状態を示す斜視図である。
【図５】  雑誌に貼り込まれたサンプル包装体を示す斜視図である。
【符号の説明】
Ｐ  包装袋
Ｐａ  シール部
１  保護材
１ａ  外枠部分
１ｂ  連結部分
２  フィルム袋
１０  保護材
１１  片側部材
α  折曲げ線
１１ａ  外枠部分
１１ｂ  連結部分
１２  フィルム袋
Ｍ  雑誌
２０  保護材
２１  片側部材
２１ａ  外枠部分
２１ｂ  連結部分
β  切込み線
【図１】
0003710177.tif 000002
【図２】
0003710177.tif 000003
【図３】
0003710177.tif 000004
【図４】
0003710177.tif 000005
【図５】
0003710177.tif 000006